(57)【要約】      （修正有）【課題】エンジン運転中に、ベアリングケースカバーのボルト貫通孔からエンジンオイルが漏れるのを防止することができるエンジンを提供する。【解決手段】ベアリングケースカバー８の後外側からベアリングケースカバー８のボルト貫通孔１０とケースガスケット７のボルト貫通孔１３にケース取付ボルト１２を貫通させ、ベアリングケース３をシリンダブロック後端壁５に固定した、エンジンにおいて、シリンダブロック後端壁５のシリンダヘッド寄り部分５ａに係止部５ｂを設け、ベアリングケース３のシリンダヘッド寄り部分３ａに被係止部３ｂを設け、この被係止部３ｂに前側から係止部５ｂを接当させることにより、燃焼室の爆発圧力でベアリングケース３のシリンダヘッド寄り部分３ａが前側に倒れようとするのを、シリンダブロック端壁５の係止部５ｂで係止することができるようにした。【選択図】図１
2011069236.tif 000002
【特許請求の範囲】
【請求項１】
クランク軸(１)の後端部ジャーナル部(２)に、ベアリングを支持させたベアリングケース(３)を外嵌し、このベアリングケース(３)をシリンダブロック後端壁(５)の端部軸受孔(６)に内嵌し、ベアリングケース(３)をシリンダブロック(２０)の後外側からケースガスケット(７)を介してベアリングケースカバー(８)で覆い、ベアリングケースカバー(８)をシリンダブロック後端壁(５)にカバー取付ボルト(９)で取付け、ベアリングケースカバー(８)のクランク軸貫通孔(８ａ)にクランク軸(１)を貫通させ、
ベアリングケースカバー(８)に周方向に所定間隔を保持して複数のボルト貫通孔(１０)を設け、ベアリングケース(３)の外周縁部に周方向に所定間隔を保持してねじ孔(１１)を設け、ベアリングケースカバー(８)の後外側からベアリングケースカバー(８)のボルト貫通孔(１０)とケースガスケット(７)のボルト貫通孔(１３)にケース取付ボルト(１２)を貫通させ、このケース取付ボルト(１２)をベアリングケース(３)のねじ孔(１１)にねじ嵌合させることにより、ベアリングケース(３)をシリンダブロック後端壁(５)に固定した、エンジンにおいて、
シリンダブロック後端壁(５)のシリンダヘッド寄り部分(５ａ)に係止部(５ｂ)を設け、ベアリングケース(３)のシリンダヘッド寄り部分(３ａ)に被係止部(３ｂ)を設け、この被係止部(３ｂ)に前側から係止部(５ｂ)を接当させることにより、
燃焼室の爆発圧力でベアリングケース(３)のシリンダヘッド寄り部分(３ａ)が前側に倒れようとするのを、シリンダブロック端壁(５)の係止部(５ｂ)で受け止めることができるようにした、ことを特徴とするエンジン。
【発明の詳細な説明】
【技術分野】
【０００１】
本発明は、エンジンに関し、詳しくは、エンジン運転中に、ベアリングケースカバーのボルト貫通孔からエンジンオイルが漏れるのを防止することができるエンジンに関するものである。
【背景技術】
【０００２】
本発明の前提となるエンジンは、図１に例示するように、クランク軸(１)の後端部ジャーナル部(２)に、ベアリングを支持させたベアリングケース(３)を外嵌し、このベアリングケース(３)をシリンダブロック後端壁(５)の端部軸受孔(６)に内嵌し、ベアリングケース(３)をシリンダブロック(２０)の後外側からケースガスケット(７)を介してベアリングケースカバー(８)で覆い、ベアリングケースカバー(８)をシリンダブロック後端壁(５)にカバー取付ボルト(９)で取付け、ベアリングケースカバー(８)のクランク軸貫通孔(８ａ)にクランク軸(１)を貫通させ、
【０００３】
図２に例示するように、ベアリングケースカバー(８)に周方向に所定間隔を保持して複数のボルト貫通孔(１０)を設け、図３(Ａ)に例示するように、ベアリングケース(３)の外周縁部に周方向に所定間隔を保持してねじ孔(１１)を設け、図１に例示するように、ベアリングケースカバー(８)の外側からベアリングケースカバー(８)のボルト貫通孔(１０)とケースガスケット(７)のボルト貫通孔(１３)にケース取付ボルト(１２)を貫通させ、このケース取付ボルト(１２)をベアリングケース(３)のねじ孔(１１)にねじ嵌合させることにより、ベアリングケース(３)をシリンダブロック端壁(５)に固定したものである(特許文献１参照)。
この種のエンジンでは、ベアリングケース(３)をシリンダブロック端壁(５)に簡単に取り付けることができる利点がある。
【０００４】
しかし、従来のエンジンでは、エンジン運転中に、ベアリングケースカバー(８)のボルト貫通孔(１０)からエンジンオイルが漏れることがあった。
【先行技術文献】
【特許文献】
【０００５】
【特許文献１】特開２００６−２１９９９９号公報(図３、図４参照)
【発明の概要】
【発明が解決しようとする課題】
【０００６】
上記従来技術では、エンジン運転中に、ベアリングケースカバー(８)のボルト貫通孔(１０)からエンジンオイルが漏れることがあったため、エンジンとその周囲を汚染するおそれがあった。
本発明の発明者は、エンジン運転中に、エンジンオイルが漏れる原因が次のようなものであることを発見し、この発明に至った。
エンジン運転中に、燃焼室の爆発圧力でベアリングケース(３)のシリンダヘッド寄り部分(３ａ)が前側に倒れ、ケースガスケット(７)のシリンダヘッド寄り部分(７ａ)の前後に隙間ができ、この隙間を介してベアリングケースカバー(８)のボルト貫通孔(１０)からエンジンオイルが漏れる。
【０００７】
本発明の課題は、エンジン運転中に、ベアリングケースカバーのボルト貫通孔からエンジンオイル漏れるのを防止することができるエンジンを提供することにある。
【課題を解決するための手段】
【０００８】
請求項１に係る発明の発明特定事項は、次の通りである。
図１に例示するように、クランク軸(１)の後端部ジャーナル部(２)に、ベアリングを支持させたベアリングケース(３)を外嵌し、このベアリングケース(３)をシリンダブロック後端壁(５)の端部軸受孔(６)に内嵌し、ベアリングケース(３)をシリンダブロック(２０)の後外側からケースガスケット(７)を介してベアリングケースカバー(８)で覆い、ベアリングケースカバー(８)をシリンダブロック後端壁(５)にカバー取付ボルト(９)で取付け、ベアリングケースカバー(８)のクランク軸貫通孔(８ａ)にクランク軸(１)を貫通させ、
【０００９】
図２に例示するように、ベアリングケースカバー(８)に周方向に所定間隔を保持して複数のボルト貫通孔(１０)を設け、図３(Ａ)に例示するように、ベアリングケース(３)の外周縁部に周方向に所定間隔を保持してねじ孔(１１)を設け、図１に例示するように、ベアリングケースカバー(８)の外側からベアリングケースカバー(８)のボルト貫通孔(１０)とケースガスケット(７)のボルト貫通孔(１３)にケース取付ボルト(１２)を貫通させ、このケース取付ボルト(１２)をベアリングケース(３)のねじ孔(１１)にねじ嵌合させることにより、ベアリングケース(３)をシリンダブロック端壁(５)に固定した、エンジンにおいて、
図１に例示するように、シリンダブロック端壁(５)のシリンダヘッド寄り部分(５ａ)に係止部(５ｂ)を設け、ベアリングケース(３)のシリンダヘッド寄り部分(３ａ)に被係止部(３ｂ)を設け、この被係止部(３ｂ)に前側から係止部(５ｂ)を接当させることにより、
燃焼室の爆発圧力でベアリングケース(３)のシリンダヘッド寄り部分(３ａ)が前側に倒れようとするのを、シリンダブロック端壁(５)の係止部(５ｂ)で係止することができるようにした、ことを特徴とするエンジン。
【発明の効果】
【００１０】
請求項１に係る発明は、次の効果を奏する。
《効果》  エンジン運転中に、ベアリングケースカバーのボルト貫通孔からエンジンオイル漏れるのを防止することができる。
図１に例示するように、燃焼室の爆発圧力でベアリングケース(３)のシリンダヘッド寄り部分(３ａ)が前側に倒れようとするのを、シリンダブロック端壁(５)の係止部(５ｂ)で係止することができるようにしたので、ケースガスケット(７)のシリンダヘッド寄り部分(７ａ)の前後に隙間ができず、エンジン運転中に、ベアリングケースカバー(８)のボルト貫通孔(１０)からエンジンオイル漏れるのを防止することができる。  
【図面の簡単な説明】
【００１１】
【図１】本発明の実施形態に係るエンジンのベアリングケースとその周辺部分の縦断側面図である。
【図２】本発明の実施形態に係るエンジンのベアリングケースの取付状態を説明する分解斜視図である。
【図３】本発明の実施形態に係るエンジンで用いるベアリングケースとケースガスケットとを説明する図で、図３(Ａ)はベアリングケースの正面図、図３(Ｂ)はケースガスケットの正面図、図３(Ｃ)はベアリングケースとケースガスケットとを重ねた図である。
【図４】本発明の実施形態に係るエンジンの縦断側面図である。
【発明を実施するための形態】
【００１２】
本発明の実施の形態を図面に基づいて説明する。図１から図４は本発明の実施形態に係るエンジンを説明する図で、この実施形態では、縦型２気筒のディーゼルエンジンについて説明する。
【００１３】
本発明の実施形態に係るエンジンの概要は、次の通りである。
図４に示すように、シリンダブロック(２０)の上部にシリンダヘッド(２１)を組み付け、シリンダヘッド(２１)の上部にヘッドカバー(２２)を組み付けている。シリンダブロック(２０)の下部にはオイルパン(２３)を組み付けている。シリンダブロック(２０)の前部にはギヤケース(２４)を組み付けている。シリンダブロック(２０)の下部にはクランク軸(１)を収容している。クランク軸(１)の中間ジャーナル部(２５)に中間のベアリングケース(２６)を組み付け、端部ジャーナル部(２)に端部のベアリングケース(３)を組み付けた状態で、後側のシリンダブロック端壁(５)の端部軸受孔(６)から、クランク軸(１)をシリンダブロック(２０)内に挿入し、中間の軸受孔(２７)にベアリングケース(２６)を内嵌させ、端部軸受孔(６)に端部のベアリングケース(３)を内嵌させるトンネル型軸受構造を採用している。クランク軸(１)の後端にはフライホイル(２９)を取り付けている。
【００１４】
端部の軸受構造は、次の通りである。
図１に例示するようにクランク軸(１)の後端部ジャーナル部(２)に、ベアリング(４)を支持させたベアリングケース(３)を外嵌し、このベアリングケース(３)にベアリング(４)を取付け、このベアリングケース(３)をシリンダブロック後端壁(５)の端部軸受孔(６)に内嵌し、ベアリングケース(３)を外側からケースガスケット(７)を介してベアリングケースカバー(８)で覆い、ベアリングケースカバー(８)をシリンダブロック後端壁(５)にカバー取付ボルト(９)で取付けている。ベアリングケースカバー(８)のクランク軸貫通孔(８ａ)にクランク軸(１)を貫通させ、クランク軸貫通孔(８ａ)にオイルシール(８ｂ)を内嵌し、このオイルシール(８ｂ)をクランク軸(１)の周面に圧接させている。ベアリング(４)は、ラジアルメタル(４ａ)とスラストメタル(４ｂ)とで構成されている。ベアリングケース(３)は、上下２分割構造で、後端部ジャーナル(２)に上下から組み付けられる。ベアリグケースカバー(８)とシリンダブロック後端壁(５)との間には、ケースカバーガスケット(２８)を挟み付けている。
【００１５】
図２に例示するように、ベアリングケースカバー(８)に周方向に所定間隔を保持して複数のボルト貫通孔(１０)を設け、図１(Ａ)に示すように、ベアリングケース(３)の外周縁部に周方向に所定間隔を保持してねじ孔(１１)を設け、図３に示すように、ベアリングケースカバー(８)の外側からベアリングケースカバー(８)のボルト貫通孔(１０)とケースガスケット(７)のボルト貫通孔(１３)にケース取付ボルト(１２)を貫通させ、このケース取付ボルト(１２)をベアリングケース(３)のねじ孔(１１)にねじ嵌合させることにより、ベアリングケース(３)をシリンダブロック後端壁(５)に固定するとともに、ベアリングケースカバー(８)とベアリングケース(３)との間にケースガスケット(７)を挟み付けている。ケースガスケット(７)は銅の薄板である。
【００１６】
端部の軸受構造の工夫は、次の通りである。
図１に示すように、シリンダブロック後端壁(５)のシリンダヘッド寄り部分(５ａ)に係止部(５ｂ)を設け、ベアリングケース(３)のシリンダヘッド寄り部分(３ａ)に被係止部(３ｂ)を設け、この被係止部(３ｂ)に前側から係止部(５ｂ)を接当させることにより、燃焼室の爆発圧力でベアリングケース(３)のシリンダヘッド寄り部分(３ａ)が前側に倒れようとするのを、シリンダブロック端壁(５)の係止部(５ｂ)で係止することができるようにしている。
被係止部(３ｂ)は、シリンダブロック後端壁(５)と一体成型で、シリンダブロック後端壁(５)の端部軸受孔(６)の周面から端部軸受孔(６)の中心部に向けて突出させている。係止部(５ｂ)は、ベアリングケース(３)のシリンダヘッド寄り部分(３ａ)を後側から前向きに凹設し、その奥端の肉壁で形成している。
【００１７】
図３(Ａ)に例示するように、ベアリングケース(３)の外周部に複数のボス(１４)と円弧状連結部(１５)とを設け、複数のボス(１４)をベアリングケース(３)の外周部の周方向に所定間隔を保持して設け、隣り合う各ボス(１４)同士を円弧状連結部(１５)で連結し、各ボス(１４)を円弧状連結部(１５)の内周縁よりも内向きに突出させ、各ボス(１４)にベアリングケース(３)のねじ孔(１１)を設けている。ねじ孔(１１)の奥端行き止まりの袋状構造である。
図３(Ｂ)に例示するように、ケースガスケット(７)を、円環状連結部(１６)と複数の半円形突出部(１７)とで構成し、複数の半円形突出部(１７)を円環状連結部(１６)の外周縁に所定間隔を保持して設け、この複数の半円形突出部(１７)を円環状連結部(１６)の外周縁から外向きに突出させ、各半円形突出部(１７)と円環状連結部(１６)とにわたってケースガスケット(７)のボルト貫通孔(１３)を設けている。
【００１８】
図３(Ｃ)に例示するように、クランク軸(１)の架設方向と平行な向きに見て、ベアリングケース(３)のボス(１４)と、ケースガスケット(７)のボルト挿通孔(１３)の周囲円環部分(１８)とがオーバーラップし、ベアリングケース(３)の隣り合う各ボス(１４)同士を連結する円弧状連結部(１５)と、ケースガスケット(７)の円環状連結部(１６)のうちの周囲円環部分(１８)以外の残余部分(１９)が、内外にずれて、相互にオーバーラップしないようにしている。
図３(Ｃ)に例示するように、ケースガスケット(７)のボルト挿通孔(１３)の周囲円環部分(１８)が、ベアリングケース(３)のボス(１４)とベアリングケースカバー(８)との間に挟み付けられ、ケースガスケット(７)の円環状連結部(１６)のうちの周囲円環部分(１８)以外の残余部分(１９)が、ベアリングケース(３)とベアリングケースカバー(８)との間に挟み付けられないようにしている。
【符号の説明】
【００１９】
(１) クランク軸
(２) 後端部ジャーナル部
(３) ベアリングケース
(３ａ) ベアリングケースのシリンダヘッド寄り部
(３ｂ) 被係止部
(４) ベアリング
(５) シリンダブロック後端壁
(５ａ) シリンダブロック後端壁のシリンダヘッド寄り部
(５ｂ) 係止部
(６) 端部軸受孔
(７) ケースガスケット
(９) カバー取付ボルト
(１０) ベアリングケースカバーのボルト貫通孔
(１１) ねじ孔
(１２) ケース取付ボルト
(１３) ケースガスケットのボルト貫通孔
【図１】
2011069236.tif 000003
【図２】
2011069236.tif 000004
【図３】
2011069236.tif 000005
【図４】
2011069236.tif 000006